(57)【要約】重力送り式貯蔵型浄水器が提供される。重力送り式浄水器は、水を受けるためのろ過ユニットを含む。ろ過ユニットは、ハウジングユニット、第１の膜布層、第２の膜布層、ならびに第１および第２の膜布層の間に配置された粒状殺菌性組成物層を含む。第１および第２の膜布層は、深層ろ過機構を使用して、不純物、砂、および堆積物を汚染水から除去する。粒状殺菌性組成物層は、銀イオンの水中への高速浸出によって、細菌およびウイルスを汚染水から除去する。ろ過ユニットおよび重力によってろ過された水を回収する単一の貯蔵容器が提供される。吸着性組成物は、貯蔵容器と貯蔵容器の排出用蛇口との間に配置される。【選択図】なし
2014516775.tif 000002
【特許請求の範囲】
【請求項１】
未浄化水を受けるためのろ過ユニットであって、
ハウジングユニットと、
第１の膜布層と、
第２の膜布層と、
前記第１および第２の膜布層の間に配置された粒状殺菌性組成物層と、
を備えるろ過ユニットと、
貯蔵容器であって、前記未浄化水が前記第１および第２の膜布層、前記粒状殺菌性組成物層、および重力によってろ過され、前記ろ過された水が、前記貯蔵容器に貯蔵される、貯蔵容器と、
を備える、重力送り式貯蔵型浄水器。
【請求項２】
前記粒状殺菌性組成物層が、有機鋳型ベーマイトナノ構造上に含浸された銀ナノ粒子を含む、請求項１に記載の重力送り式貯蔵型浄水器。
【請求項３】
前記粒状殺菌性組成物層が、ポリウレタン上に含浸された銀ナノ粒子上に含浸された銀ナノ粒子を含む、請求項１に記載の重力送り式貯蔵型浄水器。
【請求項４】
前記粒状殺菌性組成物層が、アルミニウム、亜鉛、マンガン、鉄、チタン、ジルコニウム、ランタン、セリウム、およびシリコンのうちの少なくとも１つの酸化物およびオキシ水酸化物のうちの少なくとも１つの上に含浸された銀ナノ粒子を含む、請求項１に記載の重力送り式貯蔵型浄水器。
【請求項５】
前記粒状殺菌性組成物層が、活性炭上に含浸された銀ナノ粒子上に含浸された銀ナノ粒子を含む、請求項１に記載の重力送り式貯蔵型浄水器。
【請求項６】
前記第１および第２の膜布層が、取り外し可能、洗浄可能、取り付け可能、またはそれらの組み合わせのうちの１つ以上である、請求項１に記載の重力送り式貯蔵型浄水器。
【請求項７】
前記粒状殺菌性組成物層の顆粒のサイズが、約０．３ｍｍ〜約１．５ｍｍである、請求項１に記載の重力送り式貯蔵型浄水器。
【請求項８】
前記粒状殺菌性組成物層の顆粒のサイズが、約０．５ｍｍ〜約１ｍｍである、請求項１に記載の重力送り式貯蔵型浄水器。
【請求項９】
前記未浄化水が、約０．５Ｌ／分〜約５Ｌ／分の流速で、前記ろ過ユニットを通して注がれる、請求項１に記載の重力送り式貯蔵型浄水器。
【請求項１０】
前記未浄化水が、約１Ｌ／分〜約２Ｌ／分の流速で、前記ろ過ユニットを通して注がれる、請求項１に記載の重力送り式貯蔵型浄水器。
【請求項１１】
前記ろ過ユニットが、水の供給部に連結された水の注入口を備える、請求項１に記載の重力送り式貯蔵型浄水器。
【請求項１２】
前記ろ過された水を出力するための、前記貯蔵容器に取り付けられた排出用蛇口をさらに備える、請求項１に記載の重力送り式貯蔵型浄水器。
【請求項１３】
アラーム機構をさらに備え、前記アラーム機構が、前記排出用蛇口を経由して出力される前に、既定の時間の間、前記ろ過された水を前記貯蔵容器に保持するために設定されるように構成される、請求項１２に記載の重力送り式貯蔵型浄水器。
【請求項１４】
前記貯蔵容器と前記排出用蛇口との間に配置された吸着性組成物をさらに備える、請求項１２に記載の重力送り式貯蔵型浄水器。
【請求項１５】
前記吸着性組成物が、活性炭、活性アルミナ、シリカ、チタニア、イオン交換樹脂、およびハロゲン化樹脂のうちの少なくとも１つを含む、請求項１２に記載の重力送り式貯蔵型浄水器。
【請求項１６】
前記貯蔵容器が、エンジニアリングプラスチック、ステンレス鋼、銅、真ちゅう、および土器のうちの少なくとも１つから作製される、請求項１に記載の重力送り式貯蔵型浄水器。
【請求項１７】
前記第１および第２の膜布層が、セルロース、ポリエステル、ナイロン、およびポリプロピレンのうちの少なくとも１つから作製される、請求項１に記載の重力送り式貯蔵型浄水器。
【請求項１８】
前記浄水器が、前記浄水器への水の流れを調節するフロート弁をさらに備える、請求項１に記載の重力送り式貯蔵型浄水器。
【請求項１９】
前記浄水器が、前記浄水器へ水を供給するパイプ型給水部に連結される、請求項１に記載の重力送り式貯蔵型浄水器。
【請求項２０】
前記ろ過ユニットが、前記ろ過された水を容器に回収するための水用ろ過ユニットとして使用される、請求項１に記載の重力送り式貯蔵型浄水器。
【請求項２１】
アラーム機構が、前記ろ過ユニットと一体化される、請求項１８に記載の重力送り式貯蔵型浄水器。
【請求項２２】
前記容器が、瓶、缶、バケツ、ドラム、カラフ、ジョッキ、箱、タンブラー、ピッチャー、キャニスター、ポット、またはそれらの組み合わせを含む、請求項１８に記載の重力送り式貯蔵型浄水器。
【請求項２３】
前記ろ過ユニットが、市販の浄水器と一体化されることができる、請求項１８に記載の重力送り式貯蔵型浄水器。
【請求項２４】
水を受けるためのろ過ユニットであって、
ハウジングユニットと、
第１の膜布層と、
第２の膜布層と、
前記第１および第２の膜布層の間に配置された粒状殺菌性組成物層と、
を備えるろ過ユニットと、
貯蔵容器であって、前記水が前記第１および第２の膜布層、前記粒状殺菌性組成物層、および重力によってろ過され、前記ろ過された水が、前記貯蔵容器に貯蔵される、貯蔵容器と、
吸着性組成物と、
前記貯蔵容器に取り付けられた排出用蛇口であって、前記貯蔵されたろ過された水が、前記吸着組成物を経由して、および前記排出用蛇口を通って出力される、排出用蛇口と、
を備える、重力送り式貯蔵型浄水器。
【発明の詳細な説明】
【技術分野】
【０００１】
関連出願の相互参照
本出願は、２０１１年５月２日に出願されたインド出願第１５２２／ＣＨＥ／２０１１号の利益を主張し、本インド出願は、参照によりその全体が本明細書に組み込まれる。
【０００２】
本開示は、浄水の分野に関し、特に、重力送り式貯蔵型浄水器に関する。
【背景技術】
【０００３】
清潔な飲料水が広く利用可能であることは、世界中の、特に、発展途上国および後進国の政府にとっての主要な取り組みである。技術的には、清潔な飲料水を提供することは、生物学的種（例えば、細菌およびウイルス）、無機種（例えば、フッ化物、ヒ素、鉄）、および有機種（例えば、殺虫剤、揮発性有機物）を含む多くの汚染物質を飲料水から除去することを伴う。しかしながら、世界中のあるグループの人々は、日常生活に必要な清潔な水を買う余裕がないため、疾患関連費用の負担を負い続けている。これは、健康上の懸念に対処するのに多くの浄水技術が利用可能であるという事実に反している。
【０００４】
種々の既知の浄水技術の中で、最も古い技術は、重力ろ過の使用を含む。何世紀もの間、人々は、目に見える不純物および堆積物を汚染水から除去するために布を使用していた。現在でさえ、人々は依然としてこの技術を使用し続けている（例えば、Ｒｅｄｕｃｔｉｏｎ  ｏｆ  ｃｈｏｌｅｒａ  ｉｎ  Ｂａｎｇｌａｄｅｓｈｉ  ｖｉｌｌａｇｅｓ  ｂｙ  ｓｉｍｐｌｅ  ｆｉｌｔｒａｔｉｏｎ，Ｃｏｌｗｅｌｌ  ｅｔ．ａｌ．，ＰＮＡＳ，２００３，１００，１０５１−１０５５）。物理的ろ過技術は、種々の他のろ過媒体、例えば、砂ろ過（Ｅｌｉｍｉｎａｔｉｏｎ  ｏｆ  ｖｉｒｕｓｅｓ，ｂａｃｔｅｒｉａ  ａｎｄ  ｐｒｏｔｏｚｏａｎ  ｏｏｃｙｓｔｓ  ｂｙ  ｓｌｏｗ  ｓａｎｄ  ｆｉｌｔｒａｔｉｏｎ，Ｈｉｊｎｅｎ  ｅｔ．ａｌ．，Ｗａｔｅｒ  Ｓｃｉ  Ｔｅｃｈｎｏｌ．，２００４，５０（１），１４７−５４）、織膜布および不織膜布ろ過（Ｈａｎｄｂｏｏｋ  ｏｆ  ｎｏｎｗｏｖｅｎ  ｆｉｌｔｅｒ  ｍｅｄｉａ，Ｉ．Ｍ．Ｈｕｔｔｅｎ，Ｅｌｓｅｖｉｅｒ，２００７）、ならびに限外ろ過膜（Ｍｅｍｂｒａｎｅｓ  ｉｎ  ｃｌｅａｎ  ｔｅｃｈｎｏｌｏｇｉｅｓ：Ｔｈｅｏｒｙ  ａｎｄ  ｐｒａｃｔｉｃｅ，Ｖｏｌｕｍｅ  １，Ｋｏｌｔｕｎｉｅｗｉｃｚ  ｅｔ．ａｌ．，Ｗｉｌｅｙ−ＶＣＨ，２００８）の使用とともに発達してきた。
【０００５】
微生物除去のための重力ろ過技術の大きな利点は、低コストの浄水である。しかしながら、低コストの浄水では、重力ろ過技術が、より高流速の水について水のろ過を実行するため、微生物の完全な除去が保証されない。ゆえに、より良好なろ過を達成するために、水の流速を極めて低くするべきである。
【０００６】
近年、「重力送り式貯蔵型浄水器」と呼ばれる技術が、その製造コストおよび動作コストの低いこと、電力消費の無いこと、動作のために流水の必要性の無いこと、ならびに飲料水から微生物を効果的に除去することから、消費者を強く引き付けている。
【０００７】
図１は、従来の重力送り式貯蔵型浄水器を示す。従来の重力送り式貯蔵型浄水器１００は、第１および第２の容器１０２および１０４を含む。第１の容器１０２は、汚染水等の未浄化水を貯蔵し、第２の容器１０４は、浄化済の水を貯蔵する。壁１０６は、汚染水等の未浄化水と浄化済の水との混合を防止するために２つの容器を分離する。１つ以上の浄水（多孔質）カートリッジ１０８は、通常、第１の容器１０２と第２の容器１０４との間に位置付けられる。典型的な使用では、汚染水は、第１の容器１０２に注がれる。第１の容器における水頭による圧力により、汚染水が多孔質カートリッジ１０８を経由して第２の容器１０４内に押し進められる。典型的には、水が多孔質カートリッジ１０８を通過している間、水中の汚染物質は、多孔質カートリッジ１０８における吸着性組成物と接触し、水から除去される。
【０００８】
重力送り式貯蔵型浄水器カートリッジは、典型的には、２つの区分：セラミックキャンドルベースおよびカーボンブロックベースの浄水カートリッジで特徴付けられることができる。典型的なセラミックキャンドルベースの浄水器は、１〜２リットル／時間（すなわち、１０リットルの浄化飲料水が５〜１０時間で入手可能になる）の流速で動作する。セラミックキャンドルにおける細孔は、汚染水等の未浄化水から不純物の微粒子を除去する。参照によりその全体が本明細書に組み込まれる公開米国特許出願第２００８／０２０２９９２号においてＢｒｉｄｇｅｓらが報告するように、出力水が消費のために微生物学的に安全であることを確実にするために、殺生物性組成物を、セラミックキャンドルの中空領域内に充填することができる。同様に、Ｏｙａｎｅｄｅｌ−Ｃｒａｖｅｒ  ｅｔ  ａｌ．ｉｎ  Ｓｕｓｔａｉｎａｂｌｅ  Ｃｏｌｌｏｉｄａｌ−Ｓｉｌｖｅｒ−Ｉｍｐｒｅｇｎａｔｅｄ  Ｃｅｒａｍｉｃ  Ｆｉｌｔｅｒ  ｆｏｒ  Ｐｏｉｎｔ−ｏｆ−Ｕｓｅ  Ｗａｔｅｒ，Ｅｎｖｉｒｏｎ．Ｓｃｉ．Ｔｅｃｈｎｏｌ．２００８，４２，９２７−９３３は、銀ナノ粒子が含浸されたセラミックフィルタが細菌を飲料水から除去することができることを示している。
【０００９】
典型的なカーボンブロックベースの浄水器は、３〜６リットル／時間（すなわち、１０リットルの浄化飲料水が２〜３時間で入手可能になる）の流速で動作する。カーボンブロックは、汚染水等の未浄化水から、反応性塩素および微量有機物を除去するために利用される。浄水の方法および技術を開示する目的でその両方が参照によりその全体が本明細書に組み込まれる、米国特許第７，５８５，４０９号におけるＢｏｍｍｉらおよびＰＣＴ公開出願第ＷＯ／２００４／０００７３２号におけるＭｉｓｔｒｙらが報告するように、殺生物性組成物を、カーボンブロックに混合することができるか、またはカーボンブロックの底部に置くことができる。
【００１０】
多数のろ過媒体を使用することによる、および浄水器設計を何度か修正することによる微生物汚染に対処する様々な努力にもかかわらず、これらの解決策のコストは、依然として比較的高いままである。浄化器の費用を負担できることが、清潔な飲料水を利用する人々を増加させる重要な要因となる。家庭ベースの浄水器を低コストで所有することが、世界中の住民の健康を改善するのに重要な役割を果たす可能性が高い。典型的な容器を作製するために浄化器毎に約２〜３ｋｇのプラスチックが使用されるため、容器のコストが浄水器の価格の約３０％であることが推定される。さらに、２つの容器は、デバイスを製造する追加のコストの一因となる。２つの容器の重力送り式貯蔵型浄水器の異なる変形が報告されおり（例えば、Ａｄｒｏｊａらによるインド特許出願第１５７１／ＭＵＭ／２００８号、ＭｉｓｔｒｙらによるＰＣＴ公開出願、ＰＣＴ公開出願第２００４／０００７３２号、Ｂａｅらによる米国特許第５，９２８，５０６号、ＰＣＴ公開出願、ＢｒｉｄｇｅｓらによるＰＣＴ公開出願第２００８／１０６２７６号、およびＦｒａｎｋ  Ｓｅｎｙａｌによる米国特許第２，３７２，３４０号）、これらのすべては、参照によりその全体が本明細書に組み込まれる。図１と併せて説明したような２つの容器の重力送り式貯蔵型浄水器の基本設計は、水流方向（上方／下方）、超流を防止するための流量制御弁を含めること、接触時間を増加させるための追加の水の流動長等を含む、多数の設計パラメータを変更することによって修正されてきた。また、このような重力送り式貯蔵型浄水器は、サイズ形状も修正されており、例えば、容量が３リットル未満の上部容器を有するカラフ型浄水器が挙げられる。
【００１１】
貯蔵型浄水器に関連する別の不利点として、大量のプラスチックが必要とされることが挙げられる（例えば、２つ以上の容器およびカートリッジハウジングについて）。ゆえに、消費者に対するコスト削減ならびにプラスチックの影響による環境被害の減少の観点から、浄水器に使用するプラスチックの量を減少させることが重要である。また、貯蔵型浄水器が複雑な構造を有し、多くの部品を取り外して、掃除し、かつ復元する必要があるため、このような貯蔵型浄水器の定期的なメンテナンスは、より多くの時間を費やす。
【００１２】
前述のことを考慮すると、従来技術の浄水システムに関連する上述の問題および他の欠点に対処する浄水器を提供する必要性がある。
【発明の概要】
【００１３】
本発明の目的は、簡略化された設計で、構築に必要なプラスチックの量を減少させ、かつ製品アセンブリに含まれる部品がより少なく、低コスト製造を伴う単一容器の重力送り式貯蔵型浄水器を提供することにある。
【００１４】
本発明の別の目的は、家庭用、地域社会用、および産業用システムを含む、任意の浄水システムにおける使用に容易に適合されることのできる浄水器を提供することにある。
【００１５】
本発明のさらに別の目的は、水中の抗菌剤の濃度がＷＨＯ（世界保健機関）限度を十分下回って維持されるように、微生物学的に安全な水を送る浄水器を提供することにある。
【００１６】
一態様では、重力送り式貯蔵型浄水器が提供される。重力送り式浄水器は、例えば、汚染水等の水を受けるためのろ過ユニットを含む。ろ過ユニットは、第１の膜布層、第２の膜布層、ならびに第１および第２の膜布層の間に配置された粒状殺菌性組成物層を含む。ろ過ユニットおよび重力によりろ過された水を回収する単一の貯蔵容器が提供される。
【００１７】
別の態様では、重力送り式貯蔵型浄水器が提供される。重力送り式浄水器は、未浄化水または汚染水等の水を受けるためのろ過ユニットを含む。ろ過ユニットは、第１の膜布層、第２の膜布層、ならびに第１および第２の膜布層の間に配置された殺菌性（例えば、粒状）組成物層を含む。第１および第２の膜布層は、深層ろ過機構を使用して、不純物、砂、および堆積物を、汚染水等の水から除去することができる。粒状殺菌性組成物層は、１つ以上の抗菌剤、例えば、銀イオンの水中への高速浸出によって、細菌およびウイルス等の微生物を、汚染水から排除または除去することができる。ろ過ユニットおよび重力によりろ過された水を回収する単一の貯蔵容器が提供される。吸着性組成物は、貯蔵容器と、貯蔵容器の排出用蛇口との間に配置されることができる。
【００１８】
別の態様では、第１の膜布層、第２の膜布層、ならびに第１および第２の膜布層の間に配置された粒状殺菌性組成物層を備えるろ過ユニットが、独立型浄水ユニットとして使用される。一態様では、この独立型浄水ユニットは、任意の市販の浄水器と一体化されることができる。本態様によると、汚染水等の未浄化水は、浄水器に進む前に、独立型浄水ユニットを通過することができる。独立型浄水ユニットは、既存の浄水器と一体化することによって使用されることができる。ある態様では、この独立型浄水ユニットは、消費者が既に入手可能である容器と一体化することによって、使用されることができる。このようなある態様では、汚染水等の水は、独立型浄水ユニットを通過し、消費者が入手可能な容器に回収される。
【００１９】
一態様では、粒状殺菌性組成物層は、例えば、有機鋳型ベーマイトナノ構造上に含浸された銀ナノ粒子を含むことができる（浄水のための組成物およびその使用については、本明細書と同じ発明者によるＰＣＴ出願第ＰＣＴ／ＩＢ２０１１／００１５５１号において説明される）。種々の他の態様では、粒状殺菌性組成物層は、アルミニウム、亜鉛、マンガン、銅、鉄、チタン、ジルコニウム、ランタン、セリウム、およびシリコンのうちの少なくとも１つのポリウレタン、酸化物、および／またはオキシ水酸化物のうちの少なくとも１つの上に含浸された銀ナノ粒子を含む。別の態様では、粒状殺菌性組成物は、活性炭上、および／または活性炭上に含浸されることのできる追加の銀ナノ粒子上に含浸された銀ナノ粒子を含むことができる。
【００２０】
本発明の付加的態様および利点は、部分的に、以下の発明を実施するための形態および任意の請求項に記載され、部分的に、発明を実施するための形態から導出される、または本発明の実践によって習得することができる。後述の利点は、特に、添付の請求項に指摘される、要素および組み合わせによって、実現および遂行されるであろう。前述の一般的説明および以下の発明を実施するための形態は両方とも、例示的および説明的にすぎず、開示される通りに、本発明を制限するものではないことを理解されたい。
【００２１】
本明細書に組み込まれ、その一部を構成する、付随の図は、いくつかの態様を例証し、説明とともに、本発明の原理を説明する役割を果たす。
【図面の簡単な説明】
【００２２】
【図１】従来の重力送り式貯蔵型浄水器を示す。
【図２】本発明のある態様に従う、単一容器の重力送り式貯蔵型浄水器を示す。
【図３】本発明の別の態様に従う、単一容器の重力送り式貯蔵型浄水器を示す。
【図４】本発明の別の態様に従う、単一容器の重力送り式貯蔵型浄水器を示す。
【図５】本発明のさらに別の態様に従う、単一容器の重力送り式貯蔵型浄水器を示す。
【図６】本発明の種々の態様に従う、蓋を含むおよび蓋を含まない単一容器の重力送り式貯蔵型浄水器の上面図を示す。
【図７】本発明の種々の態様に従う、（ａ）独立型浄水ユニットとしてのろ過ユニットと、（ｂ）貯蔵容器としてカラフとともに使用されるろ過ユニットとを示す。
【図８】本発明の種々の態様に従う、（ａ）活性カーボンブロックベースの浄水器、（ｂ）セラミックキャンドルベースの浄水器、（ｃ）膜（逆浸透／限外ろ過）ベースの浄水器等の市販の浄水器と一体化されたろ過ユニットを示す。
【図９】本発明の種々の態様に従う、単一容器の重力送り式浄水器を通過した水の体積と、対応する細菌数との間のプロットを示す。
【図１０】本発明の種々の態様に従う、単一容器の重力送り式浄水器を通過した水の体積と、対応するウイルス数との間のプロットを示す。
【発明を実施するための形態】
【００２３】
本発明は、以下の発明を実施するための形態およびその中に含まれる実施例を参照することによって、より容易に理解され得る。
【００２４】
本化合物、組成物、物品、システム、装置、および／または方法を開示および説明する前に、それらは、当然ながら、変動し得るため、別様に規定されない限り、具体的合成方法に、または別様に規定されない限り、特定の試薬に限定されないことを理解されたい。また、本明細書で使用される専門用語は、特定の態様のみ説明する目的のためであって、限定であることを意図するものではないことを理解されたい。本明細書に説明されるものと類似または同等の任意の方法および材料が、本発明の実践または試験において使用することができるが、ここでは、例示的方法および材料について説明する。
【００２５】
本明細書に言及するすべての文献は、参照により本明細書に組み込まれ、文献の引用に関連する方法および／または材料を説明する。
【００２６】
定義
別様に定義されない限り、本明細書で使用される技術的および科学的用語はすべて、本発明が属する当業者によって一般的に理解されるものと同一意味を有する。本明細書に説明されるものと類似または同等の任意の方法および材料が、本発明の実践または試験において使用することができるが、ここでは、例示的方法および材料について説明する。
【００２７】
明細書および添付の請求項において使用されるように、単数形「ａ」、「ａｎ」、および「ｔｈｅ」は、文脈によって別様に明確に示されない限り、複数参照を含む。したがって、例えば、「金属」の参照は、２つ以上の金属の混合物を含む。
【００２８】
範囲は、本明細書では、「約」１つの特定の値から、および／または「約」別の特定の値までのように、表され得る。そのような範囲が、表される時、別の態様は、１つの特定の値から、および／または他の特定の値までを含む。同様に、値が、先行詞「約」の使用によって、近似値として表される時、特定の値が、別の態様を形成することを理解されるであろう。さらに、範囲のそれぞれの終点は両方とも、他方の終点に関連して、かつ他方の終点から独立して、重要であることを理解されたい。また、本明細書に開示されるいくつかの値が存在し、その値自体に加え、「約」その特定の値として、各値もまた、本明細書に開示されることを理解されたい。例えば、値「１０」が、開示される場合、「約１０」もまた、開示される。また、２つの特定の単位間の各単位もまた、開示されることを理解されたい。例えば、１０および１５が、開示される場合、１１、１２、１３、および１４もまた、開示される。
【００２９】
本明細書で使用されるように、用語「随意の」または「随意に」は、続いて、説明される事象または状況が、生じるまたは生じないこともあり得、説明が、その事象または状況が生じる事例および生じない事例を含むことを意味する。
【００３０】
本明細書で使用されるように、「未浄化水」およびその同等の用語は、本明細書に説明するシステムで浄化されていない水について言及する。例えば、未浄化水は、汚染水であることができる。
【００３１】
一態様では、本発明の重力送り式貯蔵型浄水器は、以下の前提条件を利用することができる：（ｉ）汚染物質の吸着のための高速動力学、殺生物剤の水中への脱着のための高速動力学、および吸着剤表面から存在し得る汚染物質分子への高速電子移動のうちの１つ以上を有する殺菌性組成物、ならびに（ｉｉ）吸着性組成物から任意の活性成分を解放する場合に、その濃度が、安全な飲料水のためのＷＨＯ限度内であるべきであり、それによって、第２段階の浄化ユニットを提供する必要性がないこと。
【００３２】
本発明の重力送り式貯蔵型浄水器は、第１の層および第２の層を有する膜布を備える。一態様では、粒状殺菌性組成物は、第１の層と第２の層との間に配置される。膜布は、深層ろ過機構を使用して、不純物、砂、および堆積物を、汚染水等の未浄化水から除去する。粒状殺菌性組成物は、銀イオンを水中に浸出させることによって、および有機鋳型ベーマイトナノ構造上のウイルスの吸着または浸出された銀イオンとの化学的相互作用によって、飲料水からの細菌およびウイルスを破壊することができる。例証的殺菌性組成物については、参照によりその全体が本明細書に組み込まれるＴ．Ｐｒａｄｅｅｐらによる弊社の先行するインド特許出願第９４７／ＣＨＥ／２０１１号および第２００７０６０８号に説明される。
【００３３】
一態様では、浄水器の使用は、１〜２リットル／分の典型的な流速で、汚染水等の水を膜布層上に手動で注ぐことが必要である可能性がある。一態様では、流速は、０．１〜５リットル／分であることができる。通過する水は、粒状殺菌性組成物と接触することができ、この場合、銀イオンが殺菌性組成物から水中に浸出されることができる。膜布層および殺菌性組成物を通過した後、水は、次に、貯蔵容器に回収されることができる。貯蔵容器は、１０リットルまたは１５リットル等の５〜３０リットルの容量を有することができる。５〜１０分の典型的な時間が、貯蔵容器を満たすのに必要とされる。米国環境保護庁（ＵＳ  ＥＰＡ）の飲料水基準に従って微生物を除去するために、水は、最大１時間の間、貯蔵容器に留まることができる。１時間の継続時間は、排出用蛇口に取り付けられたデバイスによって制御される。デバイスは、時間に依存して解放される止め具の原理に基づいて作動することができ、この場合、デバイス上に設けられたノブは、１時間の解放時間で示された位置まで回転する。１時間後、解放機構が始動し、排出用蛇口が開放することができる。ゆえに、排出用蛇口における水は、消費するのに安全である。
【００３４】
重力送り式貯蔵型浄水器の利点は、以下の通りである：（ｉ）容器を１つしか使用しないため、浄水器の購入費が削減される。（ｉｉ）水中の残留銀イオン濃度がＷＨＯ限度を下回るまたは十分に下回るため、さらなる浄水の必要性がない。（ｉｉｉ）浄水のサイクル毎の効果的な継続時間が、大きく改善されることから、浄化飲料水の消費者に対するより高速な入手可能性が容易になる。
【００３５】
また、飲料水の浄化に利用される技術が、合理的な接触時間を必要とすることが、従来技術からも既知である（Ａｄｖａｎｃｅｓ  ｉｎ  ｗａｔｅｒ  ｔｒｅａｔｍｅｎｔ  ｂｙ  ａｄｓｏｒｐｔｉｏｎ  ｔｅｃｈｎｏｌｏｇｙ，Ａｌｉ  ｅｔ  ａｌ．，Ｎａｔｕｒｅ  Ｐｒｏｔｏｃｏｌｓ，２００６，１（６），２６６１）。活性炭の場合、汚染物質の吸着は、１０分の空筒接触時間（ＥＢＣＴ）を必要とすることができる（Ｐｒｅｄｉｃｔｉｎｇ  ＧＡＣ  ｐｅｒｆｏｒｍａｎｃｅ  ｗｉｔｈ  ｒａｐｉｄ  ｓｍａｌｌ−ｓｃａｌｅ  ｃｏｌｕｍｎ  ｔｅｓｔ，Ｃｒｉｔｔｅｎｄｅｎ  ｅｔ  ａｌ．，Ｊ．Ａｍ．Ｗａｔｅｒ  Ｗｏｒｋｓ  Ａｓｓｏｃ．１９９１，８３，７７−８７）。活性炭による塩素の除去は、活性炭と塩素との間の酸化還元反応であるため、吸着プロセスではないことから、通常、高速である（Ｒｅｄｕｃｔｉｏｎ  ｏｆ  ａｑｕｅｏｕｓ  ｆｒｅｅ  ｃｈｌｏｒｉｎｅ  ｗｉｔｈ  ｇｒａｎｕｌａｒ  ａｃｔｉｖａｔｅｄ  ｃａｒｂｏｎ  −  ｐＨ  ａｎｄ  ｔｅｍｐｅｒａｔｕｒｅ  ｅｆｆｅｃｔｓ，Ｓｕｉｄａｎ  ｅｔ  ａｌ．，Ｅｎｖｉｒｏｎ．Ｓｃｉ．Ｔｅｃｈｎｏｌ．，１９７７，１１（８），７８５−７８９）。同様に、銀が含浸された活性炭は、３０秒のＥＢＣＴ  で飲料水から細菌を除去するために使用されている（Ｓｉｌｖｅｒ−ｅｍｂｅｄｄｅｄ  ｇｒａｎｕｌａｒ  ａｃｔｉｖａｔｅｄ  ｃａｒｂｏｎ  ａｓ  ａｎ  ａｎｔｉｂａｃｔｅｒｉａｌ  ｍｅｄｉｕｍ  ｆｏｒ  ｗａｔｅｒ  ｐｕｒｉｆｉｃａｔｉｏｎ，Ｂａｎｄｙｏｐａｄｈｙａｙａ  ｅｔ  ａｌ．，Ｊ．Ｃｈｅｍ．Ｔｅｃｈｎｏｌ．Ｂｉｏｔｅｃｈｎｏｌ．，２００８，８３，１１７７−１１８０）。塩素および臭素ベースの殺菌媒体が、微生物を死滅させるために１〜３秒の接触時間を必要とすることが、ＰＣＴ公開出願第２００８／１０６２７６号において、Ｂｒｉｄｇｅｓらによって報告されている。
【００３６】
活性殺生物剤は、通常、通過する水中で殺生物性組成物から浸出し、活性殺生物剤を含有する水は、一定時間保持される。典型的には、微生物を死滅させることは、高用量による短時間または低用量による長時間の２つの方式で達成されることができる。第２の方式は、過剰な殺生物剤を水から除去する追加のろ過工程の必要性がないため、有利である。ＰＣＴ公開出願ＰＣＴ公開出願第２００４／０００７３２号において、Ｍｉｓｔｒｙらによって、塩素ベースの殺菌媒体のために３０分を超える静置時間が使用および実施されている。
【００３７】
組成物を膜布に充填することによる飲料用浄水のために組成物を利用するために、０．１秒のＥＢＣＴが、組成物と水との間の接触のために利用可能になる。浄水のための銀ナノ粒子が含浸された有機鋳型ベーマイトナノ構造（Ａｇ−ＯＴＢＮ）に基づく組成物に基づく浄水デバイスの設計について本明細書に報告する。浄水のための調製方法およびその使用については、参照により本明細書に組み込まれる弊社の先行する特許出願第９４７／ＣＨＥ／２０１１号に詳述される。理論によって拘束されることを望むものではないが、銀ナノ粒子の殺菌活性のための機構は、水中の銀イオンの放出に起因すると考えられる。この銀イオン放出の機構は、殺菌性作用のために過去に利用されている。Ａｇ−ＯＴＢＮの場合、１，５００リットルの体積容量についての水中での銀イオンの持続的な放出が、過去に実証されている。水中の銀イオン濃度は、典型的には、約２０ｐｐｂであり、安全な飲料水についてＷＨＯが規定する１００ｐｐｂ限度を十分下回る。
【００３８】
２つの容器の使用を排除するために、浄化済の水を一方の容器に貯蔵し、かつ汚染水等の未浄化水を別の容器に貯蔵する必要性を排除することが必要である。このようなある態様では、汚染水等の未浄化水は、浄化済の水を貯蔵するために使用される容器の注入口において、殺生物性組成物と接触している。好ましくは、殺生物性組成物は、膜布の２つの層の間に充填される。
【００３９】
しかしながら、膜布における殺生物性組成物の使用による重要な制約として、殺生物性組成物と汚染水等の未浄化水との間の接触が最小限であることが挙げられる。例証的な例として、２０×６０メッシュのＡｇ−ＯＴＢＮ顆粒を、膜布の２つの層の間に挟むことができる。このような円筒状ろ過ユニットの寸法は、１０ｃｍ（Ｄ）×１０ｃｍ（Ｈ）であり、この場合、Ａｇ−ＯＴＢＮは、１ｃｍの深さを占める。１Ｌ／分の典型的な流速について、ＥＢＣＴは、０．１秒であるように計算される。概して、作動中の浄水器では、２〜５秒のＥＢＣＴが実践される。
【００４０】
効果的な殺生物性作用の第２の態様は、浸出された殺生物剤が水中に存在するときの、水に提供される静置時間である。これは、飲料用浄水における使用について既知の事実上すべての殺生物剤に当てはまる。これは、いくつかの先行する報告において報告されている（Ｍｉｓｔｒｙ  ｅｔ  ａｌ．ｉｎ  ＰＣＴ  ｐｕｂｌｉｓｈｅｄ  ａｐｐｌｉｃａｔｉｏｎ  ＰＣＴ  ｐｕｂｌｉｓｈｅｄ  ａｐｐｌｉｃａｔｉｏｎ  ２００４／０００７３２；  Ａｎｔｉｂａｃｔｅｒｉａｌ  Ａｃｔｉｖｉｔｙ  ａｎｄ  Ｍｅｃｈａｎｉｓｍ  ｏｆ  Ａｃｔｉｏｎ  ｏｆ  ｔｈｅ  Ｓｉｌｖｅｒ  Ｉｏｎ  ｉｎ  Ｓｔａｐｈｙｌｏｃｏｃｃｕｓ  ａｕｒｅｕｓ  ａｎｄ  Ｅｓｃｈｅｒｉｃｈｉａ  ｃｏｌｉ，Ｊｕｎｇ  ｅｔ  ａｌ．，Ａｐｐｌ  Ｅｎｖｉｒｏｎ  Ｍｉｃｒｏｂｉｏｌ．，２００８，７４（７），２１７１；  Ｏｂｓｅｒｖａｔｉｏｎｓ  ｏｎ  Ｈａｌｏｇｅｎｓ  ａｓ  Ｂａｔｈｉｎｇ  Ｗａｔｅｒ  Ｄｉｓｉｎｆｅｃｔａｎｔｓ，Ｂｒｏｗｎ  ｅｔ  ａｌ．，Ｊ．Ａｐｐｌ  Ｍｉｃｒｏｂｉｏｌ，１９６６，２９，３，５５９）。水中でより高い濃度の殺生物剤濃度を使用することによって、必要な静置時間が短くなり、その反対も同様である。しかしながら、より高い濃度の殺生物剤を使用することは、不利である可能性があり、その理由として、（ｉ）飲料水の許容限度を超える濃度によって、殺生物剤除去のための追加の工程が必要となること、および（ｉｉ）過剰な殺生物剤濃度が、飲料水に通常見られる有機負荷との酸化還元および／または他の反応ももたらし得ることとが挙げられる。
【００４１】
主に、必要な静置時間の継続時間および浄水器の設計の複雑性に応じて、静置時間を実装することのできる方式が以下のようにいくつかある。（ｉ）完全に微生物を死滅させるために一定の静置時間が必要であることを述べる、消費者のための製品上の簡易通知、（ｉｉ）水が出力水容器に到達する前に浄水器の内部でゆっくりと移動するという、水のために実装される移動経路、（ｉｉｉ）ユーザが、容器が水で満たされる時にデバイス上で切り替え、かつデバイスが一定時間をかけて蛇口を通る水流における封鎖を開放する、水流を塞ぐために排出用蛇口に取り付けられたデバイス、および（ｉｖ）水圧により始動し、かつ既定の時間の後に停止する浄水器に置かれたデバイス（デバイスは、蛇口を通る水流に対する閉鎖物として一体化されてもされなくてもよい）。本発明の特定の場合では、容器における水の静置時間を制御するために、排出用蛇口の前にアナログデバイスが取り付けられる。デバイスの一般的な構成は、例えば、発振器およびコントローラデバイスを備える機械時計に基づき、発振器（典型的には、振り子または機械的車輪から作製される）が、既定の周波数で繰り返し振動／発振する。このような発振器は、プーリーに巻き付けられたコードから懸垂されたばねまたは重しによって動力供給されることができる。機械時計の前方移動は、各揺れにおけるがんぎ車の歯車歯の移動によって行われる。ねじ巻式機械的アラームのための使用における同様の設計は、商業的に利用可能である。
【００４２】
図２は、本発明のある実施形態に従う、単一容器の重力送り式貯蔵型浄水器２００を示す。単一容器の重力送り式貯蔵型浄水器２００は、ろ過ユニット２０２、貯蔵容器２０４、および排出用蛇口２０６を含む。単一容器の重力送り式貯蔵型浄水器２００の重要な構成要素は、ろ過ユニット２０２であり、ろ過ユニット２０２は、貯蔵容器２０４の上部に取り付けられる。ろ過ユニット２０２は、浄化器が使用中でないときに水の流入を閉じるために使用される蓋２０８を含むことができる。一態様では、蓋２０８は、取り外し可能である。また、蓋２０８は、外部蛇口供給部（図３で図示および説明する）への直接連結のための設備も含むことができる。また、ろ過ユニット２０２は、ろ過ユニット２０２を通して水を押し進めるために、汚染水等の未浄化水を保持するハウジング２１０も含む。ろ過ユニット２０２に充填された粒状組成物が、わずかな圧力降下を提供するため、ハウジング２１０は、最小限の高さを有することができる。一態様では、ハウジング２１０は、取り外し可能であるため、ユーザにより容易に洗浄可能である。
【００４３】
ろ過ユニット２０２の底部には、２つの膜布層、つまり第１の膜布層２１２および第２の膜布層２１４が設けられる。一態様では、第１および第２の膜布層２１２および２１４は、同じろ過効率を有する（布のミクロン評価または平方メートル当たりの布の質量の観点から表される）。粒状殺菌性組成物層２１６は、第１の膜布層２１２と第２の膜布層２１４との間に均一に配置される。本発明の一態様では、粒状殺菌性組成物層は、Ａｇ−ＯＴＢＮの顆粒を含む。Ａｇ−ＯＴＢＮ粒子の粒状サイズは、０．３ｍｍから５ｍｍの範囲である。好適な態様では、顆粒のサイズは、約０．５ｍｍから約１．０ｍｍの範囲である。第１の膜布層２１２の通過時に、水は、粒状殺菌性組成物に接触し、そこで、銀がイオン形式で水中に浸出する。水中に浸出した銀イオンは、その中に含有される任意の微生物の死滅をもたらす。蛇口２０６は、貯蔵されたろ過水を貯蔵容器２０４から入手する工程を容易にする。
【００４４】
一態様では、水は、少なくとも約１時間、貯蔵容器２０４に保持される。１時間という継続時間は、排出用蛇口２０６に取り付けられた制御デバイス２１８によって調節される。このような制御デバイス２１８は、当技術分野において一般的に知られており、止め具の時間依存性の解放の原理に基づいて作動することができる。制御デバイス２１８上に設けられたノブは、１時間の解放時間で示された位置まで回転することができる。１時間後、解放機構は始動することができ、排出用蛇口２０６は開放することができる。ゆえに、排出用蛇口における水は、消費するのに常に安全である。
【００４５】
浄水デバイスを設計する際に、単一容器の重力送り式貯蔵型浄水器２００のろ過ユニット２０２における殺菌性組成物の配置が、本発明の性能または範囲もしくは精神を大幅に変更することなく、種々の修正を受けることができることが、当業者に明らかである。一態様では、粒状吸着剤は、種々の他の汚染物質を飲料水から除去するために使用される。顆粒には、活性炭、活性アルミナ、シリカ、チタニア、イオン交換樹脂、ハロゲン化樹脂、およびそれらの組み合わせが含まれ得る。
【００４６】
図３は、本発明の別の態様に従う、単一容器の重力送り式貯蔵型浄水器３００を示す。単一容器の重力送り式貯蔵型浄水器３００が、図２の単一容器の重力送り式貯蔵型浄水器２００の構造と同様であることに留意されたい。加えて、多孔質吸着性ブロック３０２が、蛇口２０６と貯蔵容器２０４との間に取り付けられ得る。
【００４７】
一態様では、多孔質吸着性ブロック３０２は、炭素を含む。弊社の先行する特許出願第２８９２／ＣＨＥ／２０１０号（その全体の内容は、参照により本明細書に組み込まれる）を参照すると、０．５ｐｓｉの圧力水頭（重力送り式貯蔵型浄水器において通常入手可能）で、多孔質カーボンブロック（５．５ｃｍの経路長について）を通る５００〜６００ｍｌ／分の流速が実行可能であることに留意されたい。排出用蛇口２０６において活性炭多孔質ブロック３０２を使用することによって、さらなる有機不純物の除去が確実になる。多孔質カーボンブロック３０２を通る合理的に高い流速により、ユーザは、蛇口から水を回収する際に困難に直面しない。排出用蛇口において多孔質カーボンブロック３０２を使用する別の利点として、細菌を含まない水がカーボンブロックを通過する際に、多孔質カーボンブロック３０２内で細菌の繁殖が発生しないことが挙げられる。活性カーボンブロックが細菌の繁殖地として作用することが既知であることが過去に報告されており、ゆえに、生体成長の防止に関する課題は、自動的に解決される。活性炭の代わりに、他の吸着性媒体を使用して、フッ化物、水銀、ヒ素等の特定のまたは様々な汚染物質を除去することができる。
【００４８】
図４は、代替の時間インジケータを有する容器型浄水器を示す。ろ過ユニット２０２は、可動機械的ばね４０４上に位置付けられることができ、可動機械的ばね４０４は、インジケータカラーシャッター４０５に連結され、それを制御する。水で満たされたときのろ過ユニット２０２の重量は、機械的ばね４０４に転移し、それによって、機械的ばね４０４が圧縮され、インジケータカラーシャッター４０５がその元の位置から移動可能になる。機械的ばね４０４は、元の位置へ戻るのに１時間かかる。この機械的ばね４０４の位置の変化は、インジケータカラーシャッター４０５の色の変化によって示される。さらに、底部に多孔質ブロック４０３を有するチャンバ４０２は、ろ過ユニット２０２の内部に形成される。チャンバ４０２は、満たされるときに、５０〜１００ｍＬの水量を保持することができ、多孔質ブロック４０３を通して排出するのに１時間かかり、これによって、機械的ばね４０４に１時間の制御時間が提供される。チャンバ４０２における水の量は、機械的ばね４０４に転移されるろ過ユニット２０２の重量を左右する。図４（ｉ）は、１時間の時間制御周期の完了を示す、ひいては水が消費される準備が整っていることを示すインジケータカラーシャッター４０５の状態である。図４（ｉｉ）は、１時間の時間制御周期が進行中であり、水がまだ消費される準備が整っていないことを示すインジケータカラーシャッター４０５の状態である。図４と併せて上述した実施形態の変形も、時間インジケータを有する完全に機能的な浄水器を設計するために使用することができることが、当業者によって理解されたい。
【００４９】
図５は、本発明のさらに別の態様に従う、単一容器の重力送り式貯蔵型浄水器５００を示す。単一容器の重力送り式貯蔵型浄水器５００は、単一容器の重力送り式貯蔵型浄水器２００の構造と同様である。加えて、パイプ型給水部５０１、フロート弁５０２、およびパイプ連結部５０３を含む付属品が、浄水器５００と一体化される。パイプ型給水部５０１は、浄水器５００に連結され、パイプ連結部５０３を通してろ過ユニット２０２まで延在する。パイプ連結部５０３は、漏れ防止アセンブリ（図示せず）を通してろ過ユニット２０２に連結される。フロート弁５０２は、パイプ型給水部５０１とパイプ連結部５０３との接合部に設けられる。フロート弁５０２は、浄水器５００の水位が既定のレベルに到達するときに閉鎖し、結果として、パイプ連結部５０３およびろ過ユニット２０２への水流を塞ぐ。浄水器５００の水位が既定のレベルを下回るとき、フロートレベル５０２は、開放し、パイプ連結部５０３およびろ過ユニット２０２を通る水流を開始する。
【００５０】
図６は、本発明の種々の態様に従う、蓋を含むおよび蓋を含まない（それぞれ図ＡおよびＢ）単一容器の重力送り式貯蔵型浄水器の上面図を示す。
【００５１】
図７（ａ）は、本発明のある態様に従う、独立型浄水ユニットとしてのろ過ユニット２０２を示す。ろ過ユニット２０２は、任意の型式、形状、サイズ、容量、またはメーカーの貯蔵容器と一体化される。図７（ｂ）は、貯蔵容器としてのカラフ７００と一体化されたろ過ユニット２０２を示す。貯蔵容器は、瓶、缶、ドラム、バケツ、ドラム、カラフ、ジョッキ、箱、タンブラー、ピッチャー、キャニスター、ポット、およびタンク、またはその同等物のうちの１つであってもよい。ろ過ユニット２０２の性能有効性は、貯蔵容器の性質に依存せず、多数の周期について繰り返し使用可能である。
【００５２】
図８は、本発明の種々の態様に従う、多数の市販の浄水器と一体化したろ過ユニット２０２を示す。概して、浄水器は、微生物でまだ汚染されている前置ろ過された水を後続のろ過モジュールに提供する前置フィルタから成る。微生物で汚染された水は、ろ過モジュールにおいて生物付着を引き起こす。ゆえに、ろ過モジュールに入る水が殺菌されたままになるように、前置フィルタは、ろ過ユニット２０２と置き換えられるか、またはろ過ユニット２０２と組み合わされる。ろ過ユニット２０２が、活性炭ベースの浄水器（図８ａ）、セラミックキャンドルベースの浄水器（図８ｂ）、および膜ベースの浄水器（図８ｃ）と一体化した例が示される。他の浄水器とともにろ過ユニット２０２を使用する利点として、ろ過ユニット２０２のＥＢＣＴが極めて低いため、他のろ過媒体との一体化前または後にいかなるさらなる圧力降下が示されないことが挙げられることに留意されたい。ゆえに、ろ過ユニット２０２は、必要に応じて、他のろ過媒体の直後に置かれてもよい。例えば、ろ過ユニット２０２は、図８ａにおける活性炭ベースのフィルタの後に一体化されてもよく、これにより浄水器の新しい設計がもたらされる。
【００５３】
浄水デバイスを設計する際に、時間インジケータの配置が、本発明の性能または範囲もしくは精神を大幅に変更することなく、種々の修正を受けることができることが、当業者に明らかである。一態様では、時間インジケータは、ろ過ユニットと一体化され、この場合、時間インジケータは、独立型浄水ユニットとして使用されてもよい。別の態様では、時間インジケータは、貯蔵容器と一体化される。別の態様では、時間インジケータは、吸着性組成物と一体化される。
【００５４】
次に、図９を参照すると、本発明の種々の態様に従う、重力送り式貯蔵型浄水器３００を通過した水の体積と、対応する細菌数との間のプロットを示すグラフが示される。浄水器の性能が、約７５０リットルを超える体積（Ｅ．ｃｏｌｉ：１×１０5ＣＦＵ／ｍｌの負荷水濃度）の通過について無損傷であることが、グラフから観測されることができる。トレース（ａ）および（ｂ）は、入力および出力をそれぞれ示す。トレース（ａ）に示すエラーバーは、細菌濃度における日変化に起因する。
【００５５】
図１０は、本発明の種々の態様に従う、重力送り式貯蔵型浄水器３００を通過した水の体積と、対応するウイルス数との間のプロットを示す。図１０から分かるように、浄水器の性能は、約７５０リットルを超える体積（ＭＳ２大腸菌ファージ：１×１０3ＰＦＵ／ｍｌの負荷水濃度）の通過について無損傷である。トレース（ａ）および（ｂ）は、それぞれ入力および出力についてである。
【００５６】
説明した態様は、本発明について例証的であり、制限的ではない。ゆえに、その精神または本質的な特徴から逸脱することなく本発明の原理を用いる、本発明に説明するいかなる修正も、依然として本発明の範囲内にあることが明らかである。結果として、設計、方法、構造、順序、材料、およびその同等物の修正は、当業者であれば明白であり、また、依然として本発明の範囲内にある。
【００５７】
本発明の範囲または精神から逸脱することなく種々の修正および変形を本発明に加えることができることが、当業者に明白である。本発明の他の実施形態は、本明細書に開示する本発明の明細書および実践を考慮することから、当業者に明白である。明細書および実施例が、単に例示的なものとして見なされ、本発明の真の範囲および精神が、以下の請求項によって示されることが意図される。
【図１】
2014516775.tif 000003
【図２】
2014516775.tif 000004
【図３】
2014516775.tif 000005
【図４】
2014516775.tif 000006
【図５】
2014516775.tif 000007
【図６】
2014516775.tif 000008
【図７】
2014516775.tif 000009
【図８】
2014516775.tif 000010
【図９】
2014516775.tif 000011
【図１０】
2014516775.tif 000012
【国際調査報告】
2014516775.tif 000013
2014516775.tif 000014